(57)【要約】【課題】通信処理部に通信設定情報を簡単に設定できるようにする。【解決手段】情報処理装置の電源投入時に、通信処理部をポート開放状態とする制御部２１３と、接続情報を設定するためのプログラムファイルを実行することで、制御部２１３によりポート開放状態にされた通信処理部に接続情報を設定する設定処理部２１４とを備える。【選択図】図４
2017191508.tif 000002
【特許請求の範囲】
【請求項１】
通信処理部を備える情報処理装置において、
当該情報処理装置の電源投入時に、前記通信処理部をポート開放状態とする制御部と、
接続情報を設定するためのプログラムファイルを実行することで、前記制御部によりポート開放状態にされた前記通信処理部に前記接続情報を設定する設定処理部とを備える
ことを特徴とする、情報処理装置。
【請求項２】
前記プログラムファイルを記録した第１記録媒体を接続可能なコネクタと、
前記情報処理装置の電源投入時に、前記コネクタに前記第１記録媒体が接続されている場合に、前記記録媒体から前記プログラムファイルを読み出す読出部とを備え、
前記設定処理部が、前記読出部によって読み出された前記プログラムファイルを実行する
ことを特徴とする、請求項１記載の情報処理装置。
【請求項３】
前記情報処理装置の電源投入時に、前記コネクタに前記第１記録媒体が接続されている場合に、前記通信処理部と電源制御装置とを接続させる接続切替制御部を備え、
前記電源制御部が、前記制御部，前記設定処理部，読出部および前記接続切替制御部としての機能を備える
ことを特徴とする、請求項２記載の情報処理装置。
【請求項４】
前記複数種類の接続情報のそれぞれに対応する複数の前記プログラムファイルを記録した第２記録媒体を備え、
前記設定処理部が、前記情報処理装置の電源投入後に実行される起動プロセスにおいて、前記第２記録媒体に記録された前記複数のプログラムファイルのうち、選択された一の接続情報に対応するプログラムファイルを実行する
ことを特徴とする、請求項１記載の情報処理装置。
【請求項５】
前記通信処理部の電源をオフにする制御回路装置を備え、
前記制御部が、前記制御回路装置に前記前記通信処理部の電源をオフにさせた後に、当該情報処理装置を再起動させる
ことを特徴とする、請求項４記載の情報処理装置。
【請求項６】
通信処理部を備える情報処理装置において、
処理装置に、
当該情報処理装置の電源投入時に、前記通信処理部をポート開放状態とし、
接続情報を設定するためのプログラムファイルを実行することで、前記ポート開放状態にされた前記通信処理部に前記接続情報を設定する
処理を実行させる接続情報設定プログラム。
【発明の詳細な説明】
【技術分野】
【０００１】
本発明は、情報処理装置および接続情報設定プログラムに関する。
【背景技術】
【０００２】
端末装置をインターネット等の通信回線に接続可能な状態にするためには、通信回線上に設置されたサーバにアクセスするためのユーザ名やパスワード、Access Point Name（ＡＰＮ）等の設定を行なう必要がある。
【０００３】
回線業者（通信キャリア）が販売する端末装置においては、一般的に、通信キャリアに対応したＡＰＮ設定が予め行なわれた状態で販売される。なお、ＡＰＮの設定（以下、ＡＰＮ設定という場合がある）は、端末装置に備えられた通信モジュール（Long Term Evolution：ＬＴＥモジュール）に書き込まれる。
【０００４】
一方、Mobile Virtual Network Operator（ＭＶＮＯ）事業者においては、前述した通信キャリアの回線（以下、キャリア回線という場合がある）を使うものの、サーバはＭＶＮＯ事業者が提供する。そして、一般に、ＭＶＮＯの利用者には、端末装置にＡＰＮ設定は行なわれない状態で提供される。
【０００５】
そのため、ＭＶＮＯの利用者は自身で端末装置にＡＰＮの設定を行なう必要がある。具体的には、利用者は、端末装置のOperating System（ＯＳ）を起動して、ＭＶＮＯ事業者に対応するＡＰＮ設定の値等を端末装置の通信モジュールに書き込む。
【０００６】
例えば、企業等がまとまった台数の端末装置を購入する際に、ＡＰＮの設定がされた状態の端末装置の納品を要望することがある。その納品台数が通信モジュールの製造ロットに近い数であれば、要求仕様にあった通信モジュールを製造して、その通信モジュールを搭載して販売することも考えられる。しかしながら、購入される端末装置の台数がそこまで多くない場合には、販売する側が、各端末装置にＡＰＮ設定を行なう必要がある。
【０００７】
従来の端末装置においては、装置のＯＳを起動させてから、ＡＰＮを設定するための専用のアプリケーションを実行することでＡＰＮの設定を行なう。
【先行技術文献】
【特許文献】
【０００８】
【特許文献１】特開２０１１−１５１５６４号公報
【特許文献２】特開２００６−１５７８１５号公報
【特許文献３】特開２０１５−７６７７５号公報
【発明の概要】
【発明が解決しようとする課題】
【０００９】
従来の端末装置においては、端末装置の台数が数台程度の場合には、ＯＳの起動およびアプリケーションの実行によりＡＰＮの設定を行なうことに支障がなくても、端末装置の台数が２０台、３０台と多くなると、これらの各端末装置でそれぞれＯＳを起動させるのに時間がかかり、また煩雑であるという課題がある。
【００１０】
１つの側面では、本発明は、通信処理部に通信設定情報を簡単に設定できるようにすることを目的とする。
【課題を解決するための手段】
【００１１】
このため、この情報処理装置は、通信処理部を備える情報処理装置において、当該情報処理装置の電源投入時に、前記通信処理部をポート開放状態とする制御部と、接続情報を設定するためのプログラムファイルを実行することで、前記制御部によりポート開放状態にされた前記通信処理部に前記接続情報を設定する設定処理部とを備える。
【発明の効果】
【００１２】
開示の情報処理装置によれば、通信処理部に通信設定情報を簡単に設定できる。
【図面の簡単な説明】
【００１３】
【図１】第１実施形態の一例としてのコンピュータのハードウェア構成を例示するブロック図である。
【図２】第１実施形態の一例としてのコンピュータに接続されるＵＳＢメモリに記憶されるスクリプトを例示する図である。
【図３】第１実施形態の一例としてのコンピュータのＰＭＵのハードウェア構成を例示するブロック図である。
【図４】第１実施形態の一例としてのコンピュータの機能構成を例示する図である。
【図５】第１実施形態のコンピュータにおけるＡＰＮの設定処理を説明するフローチャートである。
【図６】第１実施形態の一例としてのコンピュータにおける書込処理部によるＷＷＡＮ通信モジュールに対するＡＰＮの書込処理を説明するフローチャートである。
【図７】第２実施形態の一例としてのコンピュータにおけるＢＩＯＳの機能構成を示す図である。
【図８】第２実施形態の一例としてのコンピュータにおいて表示されるＡＰＮの選択のためのＢＩＯＳメニューを例示する図である。
【図９】第２実施形態のコンピュータにおけるＡＰＮの設定処理を説明するフローチャートである。
【発明を実施するための形態】
【００１４】
以下、図面を参照して本情報処理装置および接続情報設定プログラムに係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。又、各図は、図中に示す構成要素のみを備えるという趣旨ではなく、他の機能等を含むことができる。
【００１５】
（１）第１実施形態の説明
【００１６】
（１−１）構成
図１は第１実施形態の一例としてのコンピュータ１のハードウェア構成を例示するブロック図である。
【００１７】
コンピュータ１は、図１に例示するように、Central Processing Unit（ＣＰＵ）１０，Platform Controller Hub（ＰＣＨ）１１，メモリ１２，記憶装置１３，ディスプレイ１４，ＵＳＢコネクタ１５，１６，Universal Serial Bus（ＵＳＢ）バススイッチ１７，Wireless Wide Area Network（ＷＷＡＮ）通信モジュール１８，アンテナ１９，Power Management Unit（ＰＭＵ）２０およびＵＳＢ検出部２１を備える。
【００１８】
ＰＣＨ１１は、周辺入出力制御用プロセッサであり、ＣＰＵ１０に対して、メモリ１２やＨＤＤ１３等を接続するコントローラハブとして機能する。
【００１９】
ＰＣＨ１１は、ＣＰＵ１０，メモリ１２，記憶装置１３，ディスプレイ１４，ＵＳＢコネクタ１５，ＵＳＢバススイッチ１７およびＰＭＵ２０を相互に通信可能に接続する。
【００２０】
ＣＰＵ１０は、コンピュータ１全体を制御する。ＣＰＵ１０は、マルチプロセッサであってもよい。なお、ＣＰＵ１０に代えて、例えばＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、ＣＰＵ１０は、ＣＰＵ，ＭＰＵ，ＤＳＰ，ＡＳＩＣ，ＰＬＤ，ＦＰＧＡのうちの２種類以上の要素の組み合わせであってもよい。
【００２１】
記憶装置１３は、ハードディスクドライブ（Hard disk drive：ＨＤＤ）、ＳＳＤ（Solid State Drive），ストレージクラスメモリ（Storage Class Memory：ＳＣＭ）や、等の記憶装置であって、種々のデータを格納するものである。
【００２２】
メモリ１２はRead Only Memory（ＲＯＭ）及びRandom Access Memory（ＲＡＭ）を含む記憶メモリである。メモリ１２のＲＯＭには、ＡＰＮ設定制御に係るソフトウェアプログラムやこのプログラム用のデータ類が書き込まれている。メモリ１２上のソフトウェアプログラムは、ＣＰＵ１０に適宜読み込まれて実行される。又、メモリ１２のＲＡＭは、一次記憶メモリあるいはワーキングメモリとして利用される。
【００２３】
ディスプレイ１４は、液晶表示装置やＣＲＴ（Cathode Ray Tube）を用いた表示装置であって、図示しない表示制御装置による制御に従って種々の情報等を表示させる。
【００２４】
ＵＳＢコネクタ１５，１６は、ＵＳＢ機器を接続するためのコネクタである。ＵＳＢコネクタ１５はＰＣＨ１１に直接接続されている。ＵＳＢコネクタ１６はＵＳＢ検出部２１およびＵＳＢバススイッチ１７を介してＰＣＨ１１に接続されている。
【００２５】
本第１実施形態においては、ＵＳＢコネクタ１６にＵＳＢメモリ３０が接続される。
【００２６】
図２は第１実施形態の一例としてのコンピュータ１に接続されるＵＳＢメモリ３０に記憶されるスクリプトを例示する図である。
【００２７】
ＵＳＢコネクタ１６に接続されるＵＳＢメモリ３０には、この図２に示すようなスクリプトが設定（格納）されている。
【００２８】
ＵＳＢコネクタ１６に格納されたスクリプトは、コンピュータ１（ＷＷＡＮ通信モジュール１８）にＡＰＮを設定するためのコマンド（ＡＰＮ設定情報，設定情報，設定ファイル情報）が記述されたファイル（プログラムファイル，プログラムデータ）である。すなわち、スクリプトは、ＷＷＡＮ通信モジュール１８にＡＰＮを設定するためのプログラムファイルである。
【００２９】
ＰＭＵ２０のＭＰＵ２０１（書込処理部２１４）がこのスクリプトをＡＴコマンドとして実行することで、ＷＷＡＮ通信モジュール１８にＡＰＮが設定される。
【００３０】
本第１実施形態においては、ＵＳＢコネクタ１６にＵＳＢメモリ３０が接続される。
【００３１】
また、ＵＳＢメモリ３０には予めユニークなデバイスＩＤが設定されており、ＵＳＢメモリ３０における図示しない記憶領域にこのデバイスＩＤが格納されている。このデバイスＩＤを参照することで、ＵＳＢメモリ３０を特定することができる。
【００３２】
ＵＳＢバススイッチ１７は、ＵＳＢバスの接続状態を切替えるスイッチである。ＵＳＢバススイッチ１７は、例えば、後述するＰＭＵ２０（接続切替制御部２１１）の制御に従って、ＷＷＡＮ通信モジュール１８の接続先を切替える。
【００３３】
例えば、ＵＳＢバススイッチ１７は、ＷＷＡＮ通信モジュール１８とＰＣＨ１１とを接続する第１の接続状態（第１の接続モード）に設定する。また、ＵＳＢバススイッチ１７は、ＷＷＡＮ通信モジュール１８とＰＭＵ２０とを接続する第２の接続状態（第２の接続モード）に設定する。ＵＳＢバススイッチ１７は、これらの第１の接続状態と第２の接続状態との間で切り替えを行なう。
【００３４】
また、ＵＳＢバススイッチ１７は、第２の接続状態において、ＵＳＢコネクタ１６に接続されるＵＳＢメモリ３０とＷＷＡＮ通信モジュール１８とを接続する。
【００３５】
ＵＳＢ検出部２１は、ＵＳＢコネクタ１６にＵＳＢ機器が接続されたことを検出する検出装置であり、ＵＳＢバススイッチ１７とＵＳＢコネクタ１６との間に介装されている。
【００３６】
ＵＳＢ検出部２１は、ＵＳＢ検出レジスタ２２を備え、ＵＳＢコネクタ１６にＵＳＢ機器が接続されると、そのＵＳＢ機器のデバイスＩＤを読み出して、このＵＳＢ検出レジスタ２２に格納する。
【００３７】
また、本第１実施形態においては、上述したスクリプトが格納されたＵＳＢメモリ３０のデバイスＩＤが、図示しない記憶領域等に参照用デバイスＩＤとして格納されている。ＵＳＢ検出部２１は、ＵＳＢコネクタ１６に接続されたＵＳＢ機器（例えばＵＳＢメモリ３０）から読み出しＵＳＢ検出レジスタ２２に格納したデバイスＩＤを、参照用デバイスＩＤと比較する。
【００３８】
そして、ＵＳＢ機器から読み出されたデバイスＩＤが参照用デバイスＩＤと一致した場合に、ＵＳＢコネクタ１６に接続されたＵＳＢ機器が、設定ファイル情報を格納した特別のＵＳＢメモリ３０（以下、ＡＰＮ設定用ＵＳＢメモリ３０という場合がある）であると判断する。そしてこのＡＰＮ設定用ＵＳＢメモリ３０（ＵＳＢメモリ３０）は、スクリプトを記録した第１記録媒体として機能する。
【００３９】
すなわち、ＵＳＢ検出部２１は、ＡＰＮ設定情報を格納するＡＰＮ設定用ＵＳＢメモリ３０が接続されていることを検出する検出部としての機能を実現する。
【００４０】
また、ＵＳＢ検出部２１は、ＵＳＢコネクタ１６にＡＰＮ設定用ＵＳＢメモリ３０が接続された場合に、ＵＳＢメモリ３０が接続されたことを通知する特定の信号（ＵＳＢ信号）をアサートする。
【００４１】
ＷＷＡＮ通信モジュール１８は、図示しない基地局と無線通信を行なうための通信装置（通信処理部）である。ＷＷＡＮ通信モジュール１８は、例えば、ＬＴＥモジュールである。
【００４２】
ＷＷＡＮ通信モジュール１８には１つ以上（図１に示す例では２つ）のアンテナ１９が接続されている。
【００４３】
ＷＷＡＮ通信モジュール１８は、図示しないメモリを備え、ＡＰＮの設定値がこのメモリに記憶される。
【００４４】
本第１実施形態のコンピュータ１に備えられたＷＷＡＮ通信モジュール１８は、電力投入後（起動開始後）の所定時間はＷｉｎｄｏｗｓ７モード（Ｗｉｎｄｏｗｓは登録商標）で動作する仕様となっている。
【００４５】
このＷｉｎｄｏｗｓ７モードにおいてはＷＷＡＮ通信モジュール１８のＣＯＭポートがオープン状態（ポート開放状態）となり、ＷＷＡＮ通信モジュール１８の外部からその内臓メモリに対してデータ（ＡＰＮ）の書き込み等を行なうことができる。
【００４６】
ＷＷＡＮ通信モジュール１８に対して外部（例えば、ＰＭＵ２０）からリセット信号が入力されることで強制リセットされると、このＷＷＡＮ通信モジュール１８は再起動され、内部電源が一旦オフされた後にオンになる。これにより、ＷＷＡＮ通信モジュール１８はリセット後の所定時間、Ｗｉｎｄｏｗｓ７モードで動作する。前述の如く、このＷｉｎｄｏｗｓ７モードにおいては、ＣＯＭポートはオープン状態となる。なお、ＣＯＭポートがオープン状態となることを、ＣＯＭポートが開く、またはＣＯＭポートが有効になるという場合がある。
【００４７】
ＰＭＵ２０は、コンピュータ１に備えられた各部への電力供給を制御する。
【００４８】
図３は第１実施形態の一例としてのコンピュータ１のＰＭＵ２０のハードウェア構成を例示するブロック図である。
【００４９】
ＰＭＵ２０は、図２に示すように、Micro Processing Unit（ＭＰＵ）２０１，Low Pin Count（ＬＰＣ）インタフェース２０２，バススイッチ制御部２０３，ＵＳＢホストコントローラ２０４，ＲＯＭ２０５およびＲＡＭ２０６を備える。
【００５０】
ＬＰＣインタフェース２０２は、半導体デバイス同士を接続するバスインタフェースであり、ＰＣＨ１１等との通信を行なう。
【００５１】
バススイッチ制御部２０３は、後述する接続切替制御部２１１による制御に従って、ＵＳＢバススイッチ１７の切り替えを制御する。ＰＭＵ２０においては、このバススイッチ制御部２０３を介してＵＳＢバススイッチ１７の切り替え制御を行なう。
【００５２】
たとえば、バススイッチ制御部２０３は、ＵＳＢバススイッチ１７に対して切替え制御信号を送信することにより、ＷＷＡＮ通信モジュール１８とＰＣＨ１１とを接続する第１の接続状態と、ＷＷＡＮ通信モジュール１８とＰＭＵ２０とを接続する第２の接続状態との切り替えを行なわせる。
【００５３】
ＵＳＢホストコントローラ２０４は、ＵＳＢコネクタ１６に接続されたＵＳＢ機器の制御を行なう。例えば、ＵＳＢホストコントローラ２０４は、ＵＳＢコネクタ１６に接続されたＵＳＢメモリ３０から前述したスクリプトを読み出す。
【００５４】
ＲＯＭ２０５には、ＰＭＵ２０によるＡＰＮの設定制御に係るソフトウェアプログラム（接続情報設定プログラム）やこのプログラム用のデータ類が書き込まれている。かかるソフトウェアプログラムは、ＭＰＵ２０１に適宜読み込まれて実行される。又、ＲＡＭ２０６は、一次記憶メモリあるいはワーキングメモリとして利用される。
【００５５】
ＭＰＵ２０１は、種々の制御や演算を行なう処理装置であり、ＲＯＭ２０５やＲＡＭ２０６に格納されたプログラムを実行することにより、種々の機能を実現する。
そして、ＭＰＵ２０１が、ＡＰＮ設定プログラム（接続情報設定プログラム）を実行することにより、図４に示す接続切替制御部２１１，スクリプト読出部２１２，ＣＯＭ（communication）ポート制御部２１３および書込処理部２１４として機能する。
【００５６】
図４は第１実施形態の一例としてのコンピュータ１の機能構成を例示する図である。
【００５７】
なお、これらの接続切替制御部２１１，スクリプト読出部２１２，ＣＯＭポート制御部２１３および書込処理部２１４としての機能を実現するためのプログラム（ＡＰＮ設定プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００５８】
接続切替制御部２１１，スクリプト読出部２１２，ＣＯＭポート制御部２１３および書込処理部２１４としての機能を実現する際には、内部記憶装置（本実施形態ではＲＡＭ２０６やＲＯＭ２０５）に格納されたプログラムがコンピュータのマイクロプロセッサ（本実施形態ではＭＰＵ２０１）によって実行される。このとき、記録媒体に記録されたプログラムをコンピュータが読み取って実行するようにしてもよい。
【００５９】
接続切替制御部２１１は、ＵＳＢバススイッチ１７を制御して、ＷＷＡＮ通信モジュール１８の接続先を切替える。
【００６０】
すなわち、接続切替制御部２１１は、ＵＳＢバススイッチ１７について、ＷＷＡＮ通信モジュール１８とＰＣＨ１１とを接続する第１の接続状態（第１の接続モード）に切り替える制御や、ＷＷＡＮ通信モジュール１８とＰＭＵ２０とを接続する第２の接続状態（第２の接続モード）に切り替える制御を行なう。
【００６１】
例えば、接続切替制御部２１１は、本コンピュータ１の電源投入時（起動時）に、ＵＳＢコネクタ１６にＵＳＢメモリ３０が接続されている場合に、ＵＳＢバススイッチ１７を制御して、前述した第１の接続状態から第２の接続状態に切り替える制御を行なう。
【００６２】
すなわち、接続切替制御部２１１は、ＷＷＡＮ通信モジュール１８とＰＣＨ１１とが接続されている第１の接続状態から、ＷＷＡＮ通信モジュール１８とＰＭＵ２０とを接続する第２の接続状態に切り替える。
【００６３】
このように、接続切替制御部２１１は、本コンピュータ１の電源投入時に、ＵＳＢコネクタ１６にＵＳＢメモリ（第１記録媒体）３０が接続されている場合に、ＷＷＡＮ通信モジュール１８とＰＭＵ２０とを接続させる接続切替制御部として機能する。
【００６４】
また、接続切替制御部２１１は、第２の接続状態において、ＵＳＢバススイッチ１７を制御してＵＳＢコネクタ１６に接続されたＵＳＢメモリ３０とＷＷＡＮ通信モジュール１８とを接続させる。
【００６５】
ＣＯＭポート制御部２１３は、ＷＷＡＮ通信モジュール１８のＣＯＭポートの開放を制御する。
【００６６】
ＣＯＭポート制御部２１３は、後述する書込処理部２１４によるＷＷＡＮ通信モジュール１８へのＡＰＮの書き込みを実行できるように、ＷＷＡＮ通信モジュール１８のＣＯＭポートを開放（オープン）させる。
【００６７】
具体的には、ＣＯＭポート制御部２１３は、ＷＷＡＮ通信モジュール１８へリセット信号を送信する。これにより、ＷＷＡＮ通信モジュール１８は再起動され、この再起動後の所定時間はＣＯＭポートがオープンになり、後述する書込処理部２１４がＷＷＡＮ通信モジュール１８にＡＰＮの書き込みを行なうことが可能となる。
【００６８】
従って、ＣＯＭポート制御部２１３は、本コンピュータ１１の電源投入時に、ＷＷＡＮ通信モジュール１８をポート開放状態とする制御部として機能する。
【００６９】
また、ＷＷＡＮ通信モジュール１８においては、オープン状態となったＣＯＭポートに所定時間アクセスがないことが検知された場合に、ＣＯＭポートはクローズ状態となる。
【００７０】
なお、ＣＯＭポート制御部２１３は、書込処理部２１４によるＷＷＡＮ通信モジュール１８へのＡＰＮの書き込みが完了した後に、ＣＯＭポートをクローズさせてもよい。このＣＯＭポートのクローズは、既知の手法等を用いて実現することができ、その詳細な説明は省略する。
【００７１】
スクリプト読出部２１２は、ＵＳＢコネクタ１６に接続されたＵＳＢメモリ３０からスクリプトを読み出す。
【００７２】
スクリプト読出部２１２は、本コンピュータ１の電源投入時に、ＵＳＢコネクタ１６にＵＳＢメモリ（第１記録媒体）３０が接続されている場合に、このＵＳＢメモリ３０からスクリプトを読み出す読出部として機能する。
【００７３】
書込処理部２１４は、スクリプト読出部２１２によってＵＳＢメモリ３０から読み出されたスクリプトをＡＴコマンドとして実行することとで、ＡＰＮをＷＷＡＮ通信モジュール１８の図示しないメモリに書き込む。
【００７４】
すなわち、書込処理部２１４は、ＡＰＮ（接続情報）を設定するためのスクリプトを実行することで、ＣＯＭポート制御部２１３によりポート開放状態にされたＷＷＡＮ通信モジュール１８にＡＰＮを設定する設定処理部として機能する。
【００７５】
（１−２）動作
上述の如く構成された、第１実施形態のコンピュータ１におけるＡＰＮの設定処理を、図５に示すフローチャート（ステップＡ１〜Ａ８）に従って説明する。
【００７６】
本コンピュータ１にＡＰＮ設定を行なう作業者（以下、単に作業者という）は、ステップＡ１において、電源が未投入の状態のコンピュータ１のＵＳＢコネクタ１６にＵＳＢメモリ３０を挿入してから電源投入を行なう。
【００７７】
ステップＡ２において、ＵＳＢ検出部２１は、ＵＳＢコネクタ１６に挿入されたＵＳＢメモリ３０のデバイスＩＤを参照用デバイスＩＤと比較することで、挿入されたＵＳＢメモリ３０がＡＰＮ設定用ＵＳＢメモリ３０であるかを判定する。
【００７８】
判定の結果、挿入されたＵＳＢメモリ３０がＡＰＮ設定用ＵＳＢメモリ３０でない場合には（ステップＡ２のＮＯルート参照）、ステップＡ８において、挿入されたＵＳＢメモリ３０はＰＣＨ１１により一般的なＵＳＢメモリ３０として認識される。すなわち、ＵＳＢコネクタ１６に接続されたＵＳＢメモリ３０は、一般的な記憶媒体として取り扱われ、処理を終了する。
【００７９】
一方、ステップＡ２における確認の結果、挿入されたＵＳＢメモリ３０がＡＰＮ設定用ＵＳＢメモリ３０である場合には（ステップＡ２のＹＥＳルート参照）、ステップＡ３に移行する。
【００８０】
ステップＡ３においては、接続切替制御部２１１が、ＷＷＡＮ通信モジュール１８とＰＭＵ２０とを接続する第２の接続状態（第２の接続モード）に切り替える。
【００８１】
ステップＡ４においてＰＭＵ２０のＣＯＭポート制御部２１３が、ＷＷＡＮ通信モジュール１８に対してリセット信号を送信する。これにより、ＷＷＡＮ通信モジュール１８はリセットされ、内部電源が一旦オフ状態となった後にオン状態となる。ＷＷＡＮ通信モジュール１８は、Ｗｉｎｄｏｗｓ７モードで動作可能となる（ステップＡ５）。
【００８２】
Ｗｉｎｄｏｗｓ７モードのＷＷＡＮ通信モジュール１８においては、ＣＯＭポートが有効（オープン状態）となる（ステップＡ６）。
【００８３】
ステップＡ７において、書込処理部２１４は、ＷＷＡＮ通信モジュール１８に対してＡＰＮの書込処理を行ない、これによりＡＰＮの設定処理を終了する。このＡＰＮの設定処理の終了後には、コンピュータ１を電源オフにしてもよい。
【００８４】
図６は、第１実施形態の一例としてのコンピュータ１における、書込処理部２１４による、ＷＷＡＮ通信モジュール１８に対するＡＰＮの書込処理を説明するフローチャート（ステップＢ１，Ｂ２）である。
【００８５】
ステップＢ１において、書込処理部２１４は、ＡＰＮ設定用ＵＳＢメモリ３０に格納されたスクリプトを読み出す。
【００８６】
ステップＢ２において、書込処理部２１４が、ステップＢ１において取得したスクリプトをＡＴコマンドとして実行（入力）することにより、ＷＷＡＮ通信モジュール１８のメモリにＡＰＮが設定される。
【００８７】
その後、例えば、ＷＷＡＮ通信モジュール１８において、ＣＯＭポートへのアクセスが所定時間行なわれないことが検知されると、当該ＣＯＭポートは無効となる。すなわち、ＣＯＭポートがクローズ状態に移行する。
【００８８】
接続切替制御部２１１は、ＷＷＡＮ通信モジュール１８とＰＣＨ１１とが接続されている第１の接続状態に切り替える。これにより、ＷＷＡＮ通信モジュール１８に対するＡＰＮの書込処理が完了する。
【００８９】
（１−３）効果
このように、第１実施形態の一例としてのコンピュータ１によれば、作業者が、ＡＰＮ設定用ＵＳＢメモリ３０をＵＳＢコネクタ１６に接続した状態で、コンピュータ１を起動させることで、ＷＷＡＮ通信モジュール１８に対するＡＰＮの設定が自動的に行なわれ、利便性が高い。
【００９０】
すなわち、接続切替制御部２１１が、ＷＷＡＮ通信モジュール１８とＰＭＵ２０とを接続する第２の接続状態（第２の接続モード）に切り替え、ＣＯＭポート制御部２１３がＷＷＡＮ通信モジュール１８のＣＯＭポートをオープン状態に設定する。
【００９１】
そして、書込処理部２１４が、スクリプト読出部２１２によってＵＳＢメモリ３０からスクリプトを読み出したスクリプトを実行することで、ＷＷＡＮ通信モジュール１８のメモリにＡＰＮの設定値が格納される。
【００９２】
この際、コンピュータ１においては、ＯＳを起動することなくＷＷＡＮ通信モジュール１８にＡＰＮを設定することができるので、ＡＰＮの設定に要する時間を短縮することができる。
【００９３】
（２）第２実施形態の説明
（２−１）構成
本第２実施形態の一例としてのコンピュータ１においては、第１実施形態のＵＳＢメモリ３０およびＰＭＵ２０に代えて、Basic Input Output System（ＢＩＯＳ）の機能によりＷＷＡＮ通信モジュール１８にＡＰＮの設定を行なう。
【００９４】
本第２実施形態のコンピュータ１は、第１実施形態のコンピュータ１と同様のハードウェア構成を有する。
【００９５】
本第２実施形態のコンピュータ１に備えられたＷＷＡＮ通信モジュール１８も第１実施形態と同様に、起動時の所定時間はＷｉｎｄｏｗｓ７モードで動作する仕様となっている。
【００９６】
図７は第２実施形態の一例としてのコンピュータ１におけるＢＩＯＳの機能構成を示す図である。
【００９７】
図７に示すコンピュータ１は、ＷＷＡＮ通信モジュール１８，リセット制御チップ２６，ＵＳＢインタフェース（Ｉ／Ｆ）２３，General Purpose Input/Output（ＧＰＩＯ）インタフェース２５，Embedded Multi Media Card（ｅＭＭＣ）４１，主制御部４０１，ＵＳＢバスドライバ４０２，ＵＳＢ  Communication Device Class（ＣＤＣ）ドライバ４０３，スクリプトエンジン４０４，ｅＭＭＣドライバ４０５，Global Application BIOS Interface（ＧＡＢＩ）インタフェース４０６およびエージェントアプリケーション４０７を備える。
【００９８】
そして、主制御部４０１，ＵＳＢバスドライバ４０２，ＵＳＢ  ＣＤＣドライバ４０３，スクリプトエンジン４０４，ｅＭＭＣドライバ４０５およびＧＡＢＩインタフェース４０６としての各機能は、本コンピュータ１に備えられたＣＰＵ１０（図１参照）が接続情報設定プログラムを実行することにより実現される。
【００９９】
そして、この接続情報設定プログラムは、ＢＩＯＳ４０の一モジュールとして組み込まれている。すなわち、主制御部４０１，ＵＳＢバスドライバ４０２，ＵＳＢ  ＣＤＣドライバ４０３，スクリプトエンジン４０４，ｅＭＭＣドライバ４０５およびＧＡＢＩインタフェース４０６としての各機能は、ＢＩＯＳ４０の機能として実現される。
【０１００】
なお、図中、既述の符号と同一の符号は同様の部分を示しているので、その説明は省略する。
【０１０１】
リセット制御チップ２６は、ＷＷＡＮ通信モジュール１８の電源をオフにする制御を行なうことで、ＷＷＡＮ通信モジュール１８をリセットする制御回路装置である。リセット制御チップ２６は、例えば、ＣＬＥＡＲＳＵＲＥＣｈｉｐである。
【０１０２】
リセット制御チップ２６は、後述する主制御部４０１がＧＰＩＯインタフェース２５を介して行なう制御に従って、ＷＷＡＮ通信モジュール１８のリセットを行なう。
【０１０３】
リセット制御チップ２６により電源オフ状態となったＷＷＡＮ通信モジュール１８は、その後、主制御部４０１が本コンピュータ１を再起動（リブート）させることにより、電源オン状態となり、これにより、ＷＷＡＮ通信モジュール１８は再起動される。ＷＷＡＮ通信モジュール１８においては、この再起動後の所定時間はＣＯＭポートがオープンになり、ＷＷＡＮ通信モジュール１８にＡＰＮの書き込みを行なうことが可能となる。
【０１０４】
すなわち、第２実施形態のコンピュータ１においては、主制御部４０１は、リセット制御チップ２６によるＷＷＡＮ通信モジュール１８のリセットおよび当該コンピュータ１のリブートを行なうことで、ＷＷＡＮ通信モジュール１８のＣＯＭポートの開放を制御する。
【０１０５】
ＧＰＩＯ２５は、汎用の入出力インタフェースである。
【０１０６】
ＵＳＢインタフェース２３は、ＵＳＢバスのインタフェースであり、ＷＷＡＮ通信モジュール１８がこのＵＳＢインタフェース２３を介してＣＰＵ１０（ＰＣＨ１１）と接続されている。
【０１０７】
ｅＭＭＣドライバ４０５は、ｅＭＭＣ４１を制御してデータ等のリードやライトをｏｋなうためのドライバである。
【０１０８】
ＵＳＢバスドライバ４０２は、ＷＷＡＮ通信モジュール１８等の、ＵＳＢインタフェース２３を介して接続されている機器を制御するためのドライバである。
【０１０９】
ＵＳＢ  ＣＤＣドライバ４０３は、ＵＳＢ  ＣＤＣの仕様に従って、ＵＳＢインタフェース２３に接続された機器（ＷＷＡＮ通信モジュール１８）との通信を実現する。
【０１１０】
ｅＭＭＣ４１は、半導体記憶装置であって、第１実施形態のＡＰＮ設定用ＵＳＢメモリ３０と同様に、ＭＶＮＯに対応するスクリプト（ＡＰＮ設定情報，設定情報）を格納している。本第２実施形態においては、複数のＭＶＮＯのそれぞれに対応付けて複数のＡＰＮ設定情報（スクリプト）がｅＭＭＣ４１に格納されている。
【０１１１】
従って、ｅＭＭＣ４１は、複数種類のＡＰＮのそれぞれに対応する複数のスクリプトを記録した第２記録媒体として機能する。
【０１１２】
スクリプトエンジン４０４は、ｅＭＭＣ４１に格納されたスクリプトを機能させる。
ＧＡＢＩインタフェース４０６は、ＢＩＯＳインタフェースドライバであり、エージェントアプリケーション４０７を介してスクリプトの組込み実行、削除を行なう。
【０１１３】
エージェントアプリケーション４０７は、ＯＳ上で動作するものであり、リセット制御チップ２６の設定や解除を行なう機能を備える。ＣＰＵ１０がエージェントアプリケーション４０７を実行することで、これらの機能が実現される。
【０１１４】
ＧＡＢＩインタフェース４０６は、本コンピュータ１におけるＯＳの起動後には、このＯＳ上で動作するエージェントアプリケーション４０７を介して、リセット制御チップ２６の設定や解除を行なう。
【０１１５】
これにより、本コンピュータ１においては、ＯＳ起動後にＡＰＮを設定するための専用のアプリケーションを実行することでもＡＰＮの設定を行うことができる。
【０１１６】
主制御部４０１は、ＢＩＯＳ４０としての機能を実現するための種々の制御を行なう。また、主制御部４０１は、ＡＰＮ設定を実現するための各種制御も行なう。
【０１１７】
主制御部４０１は、ＷＷＡＮ通信モジュール１８のＣＯＭポートの開放を制御する。すなわち、主制御部４０１は、ＷＷＡＮ通信モジュール１８へのＡＰＮの書き込みを実行できるように、ＷＷＡＮ通信モジュール１８のＣＯＭポートをオープンさせる。
【０１１８】
具体的には、主制御部４０１は、ＧＰＩＯ２５を介してリセット制御チップ２６にＷＷＡＮ通信モジュール１８の電源オフを実行させた後、本コンピュータ１を再起動させる。
【０１１９】
これにより、ＷＷＡＮ通信モジュール１８は再起動され、この再起動後の所定時間はＣＯＭポートがオープンになり、書込処理部２１４がＷＷＡＮ通信モジュール１８にＡＰＮの書き込みを行なうことが可能となる。
【０１２０】
このように、主制御部４０１は、第１実施形態のＣＯＭポート制御部２１３と同様の機能を実現する。一般に、コンピュータ１を単に再起動させるだけでは、ＷＷＡＮ通信モジュール１８の電源オフを行なうことができない。本第２実施形態のコンピュータ１においては、主制御部４０１がリセット制御チップ２６に対してＷＷＡＮ通信モジュール１８の電源オフを指示することにより、ＷＷＡＮ通信モジュール１８の電源オフを実現する。
【０１２１】
そして、主制御部４０１は、ＵＳＢ  ＣＤＣドライバ４０３を介してスクリプトエンジン４０４に、ｅＭＭＣ４１に格納されたスクリプトをＡＴコマンドとして実行させる。これにより、ＡＰＮが、ＵＳＢ  ＣＤＣドライバ４０３，ＵＳＢバスドライバ４０２およびＵＳＢインタフェース２３を介して、ＷＷＡＮ通信モジュール１８の図示しないメモリに書き込まれる。
【０１２２】
このように、主制御部４０１は、第１実施形態の書込処理部２１４と同様の機能を実現する。
【０１２３】
本第２実施形態においては、ｅＭＭＣ４１には複数のＭＶＮＯのそれぞれに対応する複数のＡＰＮ設定用のスクリプトが格納されている。
【０１２４】
図８は第２実施形態の一例としてのコンピュータ１において表示されるＡＰＮの選択のためのＢＩＯＳメニューを例示する図である。
【０１２５】
この図８に例示するＢＩＯＳメニューは、操作者がＷＷＡＮ  ＡＰＮの選択を行なうための入力画面である。主制御部４０１は、この図８に例示するように、複数のＭＶＮＯ（ＡＰＮ）の候補を選択しとして表示して作業者に選択させるための選択画面（ＢＩＯＳメニュー）をディスプレイ１４に表示させる。
【０１２６】
そして、主制御部４０１は、ＢＩＯＳメニューにおいて作業者により選択されたＭＶＮＯに対応するスクリプトをｅＭＭＣ４１から選択してスクリプトエンジン４０４に実行させる。
【０１２７】
なお、上述したＢＩＯＳ４０は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【０１２８】
ＢＩＯＳ４０としての機能を実現する際には、内部記憶装置（本実施形態ではメモリ１２）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【０１２９】
（２−２）動作
上述の如く構成された、第２実施形態のコンピュータ１におけるＡＰＮの設定処理を、図９に示すフローチャート（ステップＣ１〜Ｃ５）に従って説明する。
【０１３０】
例えば、操作者が、本コンピュータ１の起動時に特定のキーを押し続ける等の操作を行なうことで、ディスプレイ１４にＢＩＯＳ設定画面が表示される。
【０１３１】
主制御部４０１は、このＢＩＯＳ設定画面において、当該コンピュータ１に設定するＡＰＮ（ＭＶＮＯ）を選択するためのＢＩＯＳメニュー（図８参照）を表示させる（ステップＣ１）。
【０１３２】
操作者は、図示しないキーボード等の入力装置を用いて、このＢＩＯＳメニューにおいて、利用するＭＶＮＯ、すなわち設定するＡＰＮを選択する（ステップＣ２）。
【０１３３】
主制御部４０１は、ＧＰＩＯ２５を介してリセット制御チップ２６にＷＷＡＮ通信モジュール１８の電源オフを指示する。リセット制御チップ２６は、この主制御部４０１からの電源オフ指示に従って、ＷＷＡＮ通信モジュール１８の電源をオフにする制御を行なうことで、ＷＷＡＮ通信モジュール１８を強制リセットさせる（ステップＣ３）。
【０１３４】
その後、主制御部４０１は、本コンピュータ１を再起動させる（ステップＣ４）。これにより、ＷＷＡＮ通信モジュール１８は再起動され、この再起動後の所定時間はＣＯＭポートがオープンになり、ＷＷＡＮ通信モジュール１８にＡＰＮの書き込みを行なうことが可能となる。
【０１３５】
主制御部４０１は、スクリプトエンジン４０４に、ｅＭＭＣ４１に格納された複数のスクリプトのうち、作業者がＢＩＯＳメニューにおいて選択したＡＰＮに対応するスクリプトをＡＴコマンドとして実行させる。これにより、ＡＰＮがＷＷＡＮ通信モジュール１８の図示しないメモリに書き込まれる（ステップＣ５）。
【０１３６】
その後、例えば、ＷＷＡＮ通信モジュール１８において、ＣＯＭポートへのアクセスが所定時間行なわれないことが検知されると、当該ＣＯＭポートは無効となる。すなわち、ＣＯＭポートがクローズ状態に移行する。
【０１３７】
主制御部４０１は、本コンピュータ１をシャットダウンさせる。
【０１３８】
（２−３）効果
このように、第２実施形態の一例としてのコンピュータ１によれば、作業者が、ＢＩＯＳメニューにおいて設定を希望するＮＶＭＯのＡＰＮを選択することで、ＷＷＡＮ通信モジュール１８に対するＡＰＮの設定が自動的に行なわれ、利便性が高い。
【０１３９】
すなわち、主制御部４０１が、ＧＰＩＯ２５を介してリセット制御チップ２６にＷＷＡＮ通信モジュール１８の電源オフを実行させた後、本コンピュータ１を再起動させることで、ＷＷＡＮ通信モジュール１８のＣＯＭポートをオープン状態に設定する。
【０１４０】
そして、主制御部４０１が、スクリプトエンジン４０４に、ｅＭＭＣ４１に格納された複数のスクリプトのうち、作業者がＢＩＯＳメニューにおいて選択したＡＰＮに対応するスクリプトをＡＴコマンドとして実行させる。これにより、ＷＷＡＮ通信モジュール１８のメモリにＡＰＮの設定値が格納される。
【０１４１】
この際、コンピュータ１においては、ＯＳを起動することなくＷＷＡＮ通信モジュール１８にＡＰＮを設定することができるので、ＡＰＮの設定に要する時間を短縮することができる。
【０１４２】
（３）その他
開示の技術は上述した各実施形態に限定されるものではなく、各実施形態の趣旨を逸脱しない範囲で種々変形して実施することができる。本実施形態の各構成及び各処理は、必要に応じて取捨選択することができ、あるいは適宜組み合わせてもよい。
【０１４３】
例えば、上述した第１実施形態においては、ＵＳＢメモリ３０にスクリプトを格納し、スクリプト読出部２１２がこのＵＳＢメモリ３０からスクリプトを読み出しているが、これに限定されるものではなく、種々変更して実施することができる。例えば、コンピュータ１のＵＳＢコネクタ１６にＡＰＮを設定するためのスクリプトを記録したＨＤＤやＳＳＤ，ＳＣＭ等の記憶装置（ＡＰＮ設定用記憶装置）を接続し、スクリプト読出部２１２はこれらの記憶装置からスクリプトを読み出してもよい。
【０１４４】
また、上述した開示により本実施形態を当業者によって実施・製造することが可能である。
【０１４５】
（４）付記
（付記１）
通信処理部を備える情報処理装置において、
当該情報処理装置の電源投入時に、前記通信処理部をポート開放状態とする制御部と、
接続情報を設定するためのプログラムファイルを実行することで、前記制御部によりポート開放状態にされた前記通信処理部に前記接続情報を設定する設定処理部とを備える
ことを特徴とする、情報処理装置。
【０１４６】
（付記２）
前記プログラムファイルを記録した第１記録媒体を接続可能なコネクタと、
前記情報処理装置の電源投入時に、前記コネクタに前記第１記録媒体が接続されている場合に、前記記録媒体から前記プログラムファイルを読み出す読出部とを備え、
前記設定処理部が、前記読出部によって読み出された前記プログラムファイルを実行する
ことを特徴とする、付記１記載の情報処理装置。
【０１４７】
（付記３）
前記情報処理装置の電源投入時に、前記コネクタに前記第１記録媒体が接続されている場合に、前記通信処理部と電源制御装置とを接続させる接続切替制御部を備え、
前記電源制御部が、前記制御部，前記設定処理部，読出部および前記接続切替制御部としての機能を備える
ことを特徴とする、付記２記載の情報処理装置。
【０１４８】
（付記４）
前記複数種類の接続情報のそれぞれに対応する複数の前記プログラムファイルを記録した第２記録媒体を備え、
前記設定処理部が、前記情報処理装置の電源投入後に実行される起動プロセスにおいて、前記第２記録媒体に記録された前記複数のプログラムファイルのうち、選択された一の接続情報に対応するプログラムファイルを実行する
ことを特徴とする、付記１記載の情報処理装置。
【０１４９】
（付記５）
前記通信処理部の電源をオフにする制御回路装置を備え、
前記制御部が、前記制御回路装置に前記前記通信処理部の電源をオフにさせた後に、当該情報処理装置を再起動させる
ことを特徴とする、付記４記載の情報処理装置。
【０１５０】
（付記６）
通信処理部を備える情報処理装置において、
処理装置に、
当該情報処理装置の電源投入時に、前記通信処理部をポート開放状態とし、
接続情報を設定するためのプログラムファイルを実行することで、前記ポート開放状態にされた前記通信処理部に前記接続情報を設定する
処理を実行させる接続情報設定プログラム。
【０１５１】
（付記７）
前記情報処理装置の電源投入時に、前記プログラムファイルを記録した第１記録媒体を接続可能なコネクタに、前記第１記録媒体が接続されている場合に、前記記録媒体から前記プログラムファイルを読み出し、
読み出された前記プログラムファイルを実行する
処理を、前記処理装置に実行させる、付記６記載の接続情報設定プログラム。
【０１５２】
（付記８）
前記情報処理装置の電源投入時に、前記コネクタに前記第１記録媒体が接続されている場合に、前記通信処理部と電源制御装置とを接続させる
処理を、前記処理装置に実行させる、付記７記載の接続情報設定プログラム。
【０１５３】
（付記９）
前記情報処理装置の電源投入後に実行される起動プロセスにおいて、前記複数種類の接続情報のそれぞれに対応する複数の前記プログラムファイルを記録した第２記録媒体に記録された前記複数のプログラムファイルのうち、選択された一の接続情報に対応するプログラムファイルを実行する
処理を、前記処理装置に実行させる、付記６記載の接続情報設定プログラム。
【０１５４】
（付記１０）
前記通信処理部の電源をオフにする制御回路装置に前記前記通信処理部の電源をオフにさせた後に、当該情報処理装置を再起動させる
処理を、前記処理装置に実行させる、付記９記載の接続情報設定プログラム。
【符号の説明】
【０１５５】
１    コンピュータ
１０    ＣＰＵ
１１    ＰＣＨ
１２    メモリ
１３    記憶装置
１４    ディスプレイ
１５，１６    ＵＳＢコネクタ
１７    ＵＳＢバススイッチ
１８    ＷＷＡＮ通信モジュール
１９    アンテナ
２０    ＰＭＵ
２１    ＵＳＢ検出部
２２    ＵＳＢ検出レジスタ
２３    ＵＳＢインタフェース
２５    ＧＰＩＯインタフェース
２６    リセット制御チップ
３０    ＵＳＢメモリ
４０    ＢＩＯＳ
４１    ｅＭＭＣ
２０１    ＭＰＵ
２０２    ＬＰＣインタフェース
２０３    バススイッチ制御部
２０４    ＵＳＢホストコントローラ
２０５    ＲＯＭ
２０６    ＲＡＭ
２１１    接続切替制御部
２１２    スクリプト読出部  
２１３    ＣＯＭポート制御部
２１４    書込処理部
４０１    主制御部
４０２    ＵＳＢバスドライバ
４０３    ＵＳＢ  ＣＤＣドライバ
４０４    スクリプトエンジン
４０５    ｅＭＭＣドライバ
４０６    ＧＡＢＩインタフェース
４０７    エージェントアプリケーション
【図１】
2017191508.tif 000003
【図２】
2017191508.tif 000004
【図３】
2017191508.tif 000005
【図４】
2017191508.tif 000006
【図５】
2017191508.tif 000007
【図６】
2017191508.tif 000008
【図７】
2017191508.tif 000009
【図８】
2017191508.tif 000010
【図９】
2017191508.tif 000011